(57)【特許請求の範囲】
【請求項１】
所定の部品の親図を作成する図面作成手段と、
前記図面作成手段によって作成された前記親図と、前記部品を識別するための識別情報とを対応付けて記憶する第１の記憶手段と、
前記図面作成手段によって作成された前記親図に関連する図面関連情報を入力する入力手段と、
前記図面関連情報を記憶する第２の記憶手段と、
前記親図に対応する前記部品と左右対称な部品を示す対称部品情報を入力する入力手段と、
前記対称部品情報を記憶する第３の記憶手段と、
前記第１の記憶手段によって記憶されている前記親図のデータ形式を変換する変換手段と、
前記データ変換手段によってデータ形式が変換された前記親図を記憶する第４の記憶手段と、
前記部品に対応する前記親図の前記識別情報に所定の第１の識別記号が追加されたものを新たに前記識別情報とし、該識別情報を前記部品に対応する前記図面関連情報に付け、前記部品に対応する前記親図の前記識別情報に所定の第２の識別記号が追加されたものを新たに前記識別情報とし、該識別情報を前記親図に対応する前記対称部品情報に付けることにより、前記親図と、前記図面関連情報と、前記対称部品情報とを関連付ける関連付け手段と、
前記親図と、前記図面関連情報と、前記対称部品情報のデータ形式を１０進法から１６進法に変換して記憶する第５の記憶手段と、
所定の端末を介して所定の部品の識別情報に対応する図面の検索が指示されたとき、前記第５の記憶手段より前記識別情報に対応する前記部品の親図と、前記親図に関連付けられた前記図面関連情報と、前記親図に関連付けられた前記対称部品情報を検索する検索手段と、
前記検索手段による検索結果を印刷する印刷手段と
を備えることを特徴とする図面登録システム。
【発明の詳細な説明】
【０００１】
【発明の属する技術分野】
本発明は、図面登録システムに関し、特に、部品の図面データと、その図面の図面関連情報とを登録する図面登録システムに関する。
【０００２】
【従来の技術】
従来、図面を登録する場合、図２に示すような手順で行っていた。まず、ＣＡＴＩＡ（図面作成システム）１で作成した図面（親図）の図面データを紙２に印刷する。次に、紙２に印刷された図面をカメラで撮影してマイクロフィルム（Ｍ／Ｆ）３を作成する。オンライン図面検索データベースシステム２１に同図面（親図）を入力する場合、まず、マイクロフィルム３をＭ／Ｆスキャナ１１で読み込み、図面データに変換して電子媒体（例えば、ＭＯ（ｍａｇｎｅｔｏ−ｏｐｔｉｃｓ）ディスク）１２に記憶させる。最後に、電子媒体１２に記憶されている図面データのデータ形式をオンライン図面検索データベース２１で用いられているデータ形式に変換し、データ形式が変換された図面データを図面データ付随情報を一対に編集しながらオンライン図面検索データベース２１に登録する。
また、３次元ＣＡＤデータが持つ形状、名称及び種別等の属性情報に基づき据付手順を生成し、工程の作成を支援することにより、技術と豊富な経験を持つ建設技術者でなくても、工程表を生成して、最適な据付手順を計画するのに膨大な労力と時間を費やさなくて済み、また、実際に据付作業を行う者に対し、工程表作成者の据付検討内容の全てを十分に理解させるようにしたものがある（例えば、特許文献１参照）。
【０００３】
【特許文献１】
特開２００２−１１７１００号公報（図１）
【０００４】
【発明が解決しようとする課題】
このように、ＣＡＴＩＡ１で作成された図面データをわざわざ紙２に印刷し、マイクロフィルム３を作成し、マイクロフィルム３をＭ／Ｆスキャナ１１で読み取って図面データに変換し、ＭＯディスク１２を介して更にハンド作業によって付随情報を入力しながらオンライン図面検索データベース２１に入力するという無駄な作業をしていたため、作業効率が悪いという問題点があった。また、マイクロフィルム３を作成する段階で、マイクロフィルム３へのダメージ等による修正が必要な場合もあるという問題点があった。さらに、人手をかけているため、コスト高になるという問題点もあった。
また、特許文献１の工程計画管理支援方法では、左右対称の図面を効率的に登録することができないという問題点があった。
【０００５】
本発明はこのような状況に鑑みてなされたものであり、図面データの登録作業を効率的かつ安価に行うことができるようにするものである。
【０００６】
【課題を解決するための手段】
請求項１に記載の図面登録システムは、所定の部品の親図を作成する図面作成手段と、図面作成手段によって作成された親図と、部品を識別するための識別情報とを対応付けて記憶する第１の記憶手段と、図面作成手段によって作成された親図に関連する図面関連情報を入力する入力手段と、図面関連情報を記憶する第２の記憶手段と、親図に対応する部品と左右対称な部品を示す対称部品情報を入力する入力手段と、対称部品情報を記憶する第３の記憶手段と、第１の記憶手段によって記憶されている親図のデータ形式を変換する変換手段と、データ変換手段によってデータ形式が変換された親図を記憶する第４の記憶手段と、部品に対応する親図の識別情報に所定の第１の識別記号が追加されたものを新たに識別情報とし、該識別情報を部品に対応する図面関連情報に付け、部品に対応する親図の識別情報に所定の第２の識別記号が追加されたものを新たに識別情報とし、該識別情報を親図に対応する対称部品情報に付けることにより、親図と、図面関連情報と、対称部品情報とを関連付ける関連付け手段と、親図と、図面関連情報と、対称部品情報のデータ形式を１０進法から１６進法に変換して記憶する第５の記憶手段と、所定の端末を介して所定の部品の識別情報に対応する図面の検索が指示されたとき、第５の記憶手段より識別情報に対応する部品の親図と、親図に関連付けられた図面関連情報と、親図に関連付けられた対称部品情報を検索する検索手段と、検索手段による検索結果を印刷する印刷手段とを備えることを特徴とする。
【０００７】
【発明の効果】
以上の如く、本発明に係る図面登録システムによれば、所定の部品の親図を作成し、親図に関する図面関連情報を入力し、親図に対応する対称部品情報を入力し、作成された親図と、入力された親図に関する図面関連情報と、入力された親図に対応する対称部品情報とを関連付け、関連付けられた親図と、図面関連情報と、対称部品情報とを記憶するようにしたので、迅速かつ安価に図面および図面関連情報を登録することができる。
【０００８】
【発明の実施の形態】
以下、本発明の図面登録システムの一実施の形態の構成例およびその動作について説明する。図１は、本実施の形態の構成例および動作を示すジョブフローである。
【０００９】
同図に示すように、本実施の形態は、研究所に設置された図示せぬワークステーション（コンピュータ）上で、ＣＡＴＩＡ（図面作成システム）を用いて作図された図面データを記憶するＣＡＴＩＡデータベース（Ｄ／Ｂ）３１と、図面データに関連する図面関連情報と、対称部品情報を記憶する管理情報データベース（Ｄ／Ｂ）３２と、データ形式を変換した後のデータを記憶するデータ変換後データベース（Ｄ／Ｂ）３３と、変換サーバ３４に設けられた記憶装置４１と、登録マシン３５に設けられた登録用データベース（Ｄ／Ｂ）５１と、図面検索データベース（Ｄ／Ｂ）３６と、端末３７とから構成されている。
【００１０】
各データベースは、図示せぬパーソナルコンピュータやサーバの記憶装置内に構築されており、ネットワークによって接続され、データを送受信することができるようになっているものとする。
【００１１】
次に、図１を参照して、本実施の形態の処理手順について説明する。まず最初に、研究所内でユーザは、ステップＳ１において、ＣＡＴＩＡを用いて所定の部品の図面（親図）を作成する。作成された図面のデータ（図面データ）は、ＣＡＴＩＡデータベース３１に供給され、記憶される。また、ユーザは、ステップＳ２において、図示せぬパーソナルコンピュータのキーボード等を操作して、ステップＳ１において作成された図面に関連する図面関連情報を入力し、管理情報データベース３２に記憶させる。さらに、ユーザは、ステップＳ３において、上記図面に対応する対称部品情報をキーボードやマウス等を操作して入力し、管理情報データベース３２に記憶させる。
【００１２】
図面関連情報は、例えば、上記部品に対して施されるべき事項、例えば、メッキの方法等の付随情報である。対称部品情報は、上記図面データが作成された部品と左右対称な部品を示す情報である。
【００１３】
これらの情報にはそれぞれ識別情報が付けられている。親図には作成時に部品を識別するための識別情報（例えば、図番）が付けられる。後述するように、図面関連情報には、親図に付けられた識別情報に対して所定の記号が追加されたものが付けられ、対称部品情報には、親図の識別情報に図面関連情報の場合とは異なる他の所定の記号を追加した識別情報が付けられることになる。例えば、親図の図面データに識別情報「１２３４５６−ＡＢＣ−ａｂｃ」が付けられる。
【００１４】
ＣＡＴＩＡデータベース３１に記憶された図面データは、ステップＳ４においてデータ形式変換処理が施され、データ形式変換後の図面データがデータ変換後データベース３３に供給され、記憶される。次に、ステップＳ５において、変換サーバ３４により、データ変換後データベース３３から所定の部品の図面データが読み出され、管理情報データベース３２から図面関連情報と対称部品情報が読み出され、これらの情報が互いに関連付けられる。
【００１５】
例えば、親図（右図面）の図面データに識別情報「１２３４５６−ＡＢＣ−ａｂｃ」が付けられた場合、この親図に対応する図面関連情報には、例えば識別情報「１２３４５６−ＡＢＣ−ａｂｃＩ」が付けられる。ここで「Ｉ」は図面関連情報であることを示す識別記号である。上記親図に対応する対称部品情報には、例えば識別情報「１２３４５６−ＡＢＣ−ａｂｃＬ」が付けられる。ここで「Ｌ」は対称部品情報（左図面）であることを示す識別記号である。「１２３４５６−ＡＢＣ−ａｂｃ」は部品を識別するための部品識別情報であるため、同一の部品識別情報を含む識別情報が付けられたもの同士が関連付けられたことになる。
【００１６】
次に、ステップＳ６において、データの構成化が行われ、変換サーバ３４の記憶装置４１に蓄積される。その後、親図の図面データ、図面関連情報、および対称部品情報は、登録マシン３５に設けられた登録用データベース５１に供給され、登録される。次に、ステップＳ７において、登録用データベース５１に登録された図面データの識別情報、図面関連情報の識別情報、および対称部品情報の識別情報のデータ形式が形式変換処理によってそれぞれ１０進法から１６進法に変換され、図面データ、図面関連情報、および対称部品情報が図面検索データベース３６に供給され、蓄積される。
【００１７】
ステップＳ８において、端末３７を介して所定の部品の識別情報に対応する図面の検索が指示されると、図面検索データベース３６よりその識別情報に対応する部品の図面データと、その図面データに関連付けられた図面関連情報および対称部品情報が検索結果として得られる。ステップＳ９においては、ステップＳ８において得られた図面データが印刷される。
【００１８】
以上説明したように、本実施の形態においては、親図と、親図に関連する図面関連情報と、親図に対応する部品と対称な部品を示す対称部品情報とが互いに関連付けられて図面検索データベース３６に蓄積されるので、部品の左右の図面データおよび付随情報の管理を効率的に行うことができる。
【００１９】
なお、上記実施の形態の構成及び動作は例であって、本発明の趣旨を逸脱しない範囲で適宜変更することができることは言うまでもない。
【図面の簡単な説明】
【図１】本発明の図面登録システムの一実施の形態の構成および動作を示すジョブフローである。
【図２】従来の図面登録手順を説明するための図である。
【符号の説明】
１  ＣＡＴＩＡ（図面作成システム）
２  紙
３  マイクロフィルム
１２  電子媒体（ＭＯディスク）
２１  図面検索データベース
３１  ＣＡＴＩＡデータベース（Ｄ／Ｂ）
３２  管理情報データベース（Ｄ／Ｂ）
３３  データ変換後データベース（Ｄ／Ｂ）
３４  変換サーバ
３５  登録マシン
３６  図面検索データベース（Ｄ／Ｂ）
３７  端末
４１  記憶装置
５１  登録用データベース（Ｄ／Ｂ）
【図１】
0003605606.tif 000002
【図２】
0003605606.tif 000003